(57)【要約】  【課題】  中空構造を有する鉄筋コンクリート製の柱状構造物を構築する工程において、配力鉄筋を配置する際の作業効率を高める。  【解決手段】  橋脚の鉛直壁部２０Ａの施工済みコンクリート３２の上面に複数の主鉄筋３４、３６を配置する一方、一施工区間分の本数の配力鉄筋４６、４８を、施工完了時の配置と略同様の配置で吊込み治具１００に取り付ける。その後、この吊込み治具１００を外周側主鉄筋３４と内周側主鉄筋３６との間に吊り込み、この吊込み治具１００から各配力鉄筋４６、４８を取り外して所定位置に配置する。これにより、吊込み完了時点で、一施工区間分の本数の配力鉄筋４６、４８が各々その配置予定位置の近傍に一括して配置されるようにし、各配力鉄筋４６、４８の配置作業を容易に行えるようにする。また、吊込み治具１００に配力鉄筋４６、４８を取り付ける作業を、橋脚付近の地面等において効率良く行えるようにする。  【選択図】          図４
2006057316.tif 000002
【特許請求の範囲】
【請求項１】
中空構造を有する鉄筋コンクリート製の柱状構造物であって、周壁の外周面近傍および内周面近傍に複数の主鉄筋が配置されるとともに、これら外周面近傍に配置された複数の主鉄筋と内周面近傍に配置された複数の主鉄筋との間に上記周壁に沿って水平方向に延びる複数の配力鉄筋が上下方向に所定間隔をおいて配置されてなる柱状構造物を、所定高の施工区間毎に配筋およびコンクリート打設を行うことにより構築する、柱状構造物の構築方法において、
上記柱状構造物における施工済みコンクリートの上面に、上記複数の主鉄筋を配置する工程と、
所定本数の上記配力鉄筋を、施工完了時の配置と略同様の配置で、所定の吊込み治具に取り付ける工程と、
上記所定本数の配力鉄筋が取り付けられた吊込み治具を、上記外周面近傍に配置された複数の主鉄筋と上記内周面近傍に配置された複数の主鉄筋との間に吊り込む工程と、
この吊込みが完了した吊込み治具から上記各配力鉄筋を取り外して所定位置に配置する工程と、を含むことを特徴とする柱状構造物の構築方法。
【請求項２】
上記吊込み治具に対する上記各配力鉄筋の取付けを、該吊込み治具を横向きに配置した状態で行う、ことを特徴とする請求項１記載の柱状構造物の構築方法。
【請求項３】
上記吊込み治具として、水平方向に所定間隔をおいて配置された複数の鉛直鋼材を上下１対の水平鋼材により連結固定してなる鉛直枠と、この鉛直枠と略直交する方向に延びるように配置された状態で、上記各鉛直鋼材に対して上下方向に所定間隔をおいて固定された複数の鉄筋受け材と、を備えてなる治具を用いる、ことを特徴とする請求項１または２記載の柱状構造物の構築方法。
【請求項４】
上記各鉄筋受け材として、上記各鉛直鋼材にナットにより締付固定された全ネジボルトを用いる、ことを特徴とする請求項３記載の柱状構造物の構築方法。
【請求項５】
上記各鉛直鋼材の側端面に、上下方向に所定間隔をおいて複数の凹溝部を形成しておき、これら各凹溝部に上記全ネジボルトを挿入した状態で上記ナットによる締付固定を行う、ことを特徴とする請求項４記載の柱状構造物の構築方法。
【請求項６】
所定間隔をおいて２列で配置された略鉛直方向に延びる複数の鉄筋における上記各列の間に、水平方向に延びる複数の鉄筋を吊り込むための吊込み治具であって、
水平方向に所定間隔をおいて配置された複数の鉛直鋼材を上下１対の水平鋼材により連結固定してなる鉛直枠と、この鉛直枠と略直交する方向に延びるように配置された状態で、上記各鉛直鋼材に対して上下方向に所定間隔をおいて固定された複数の鉄筋受け材と、を備えてなることを特徴とする吊込み治具。
【請求項７】
上記各鉄筋受け材が、全ネジボルトと、この全ネジボルトを上記各鉛直鋼材に締付固定するための１対のナットとを備えてなる、ことを特徴とする請求項６記載の吊込み治具。
【請求項８】
上記各鉛直鋼材の側端面に、上記各鉄筋受け材の全ネジボルトを挿入するための複数の凹溝部が、上下方向に所定間隔をおいて形成されている、ことを特徴とする請求項７記載の吊込み治具。
【発明の詳細な説明】
【技術分野】
【０００１】
本願発明は、中空構造を有する鉄筋コンクリート製の柱状構造物を構築する方法および吊込み治具に関するものである。
【背景技術】
【０００２】
一般に、鉄筋コンクリート製の橋脚等のように、コンクリートの表面近傍に複数の主鉄筋が配置されてなる柱状構造物においては、例えば「特許文献１」に記載されているように、所定高の施工区間毎に配筋およびコンクリート打設を行うことにより、その構築が行われるようになっている。
【０００３】
また、この「特許文献１」に記載された橋脚のように中空構造を有する鉄筋コンクリート製の柱状構造物においては、その周壁の外周面近傍に配置された複数の主鉄筋（以下「外周側主鉄筋」ともいう）に対して、これらを外周側から囲む複数の帯鉄筋が上下方向に所定間隔をおいて配置されるとともに、その周壁の内周面近傍に配置された複数の主鉄筋（以下「内周側主鉄筋」ともいう）に対して、これらを内周側から囲む複数の帯鉄筋が上下方向に所定間隔をおいて配置された構成となっている。
【０００４】
【特許文献１】特開平１０−８２０１９号公報
【発明の開示】
【発明が解決しようとする課題】
【０００５】
このような中空構造を有する鉄筋コンクリート製の柱状構造物においては、外周側主鉄筋と内周側主鉄筋との間に、周壁に沿って水平方向に延びる複数の配力鉄筋が上下方向に所定間隔をおいて配置された構成となっていることが多いが、このような場合には、施工済みコンクリートの上面に外周側主鉄筋および内周側主鉄筋を配置した後に帯鉄筋および配力鉄筋を配置することとなる。その際、配力鉄筋の配置については、外周側主鉄筋と内周側主鉄筋との間の狭い空間での作業となるため、次のような手順で行うことを余儀なくされている。
【０００６】
すなわち、まず、作業員の背丈分程度の高さ範囲に配置されるべき本数の配力鉄筋を、クレーン等により外周側主鉄筋と内周側主鉄筋との間の空間に吊り込んで施工済みコンクリートの上面に下ろした後、これらを背丈分程度の高さ位置に一旦あずける。そして、ここから配力鉄筋を１本ずつ取り出して最下段の位置に必要本数配置した後、これら配力鉄筋を跨ぐようにして複数の幅止め鉄筋を配置する。これが完了したら、その上の段での配力鉄筋および幅止め鉄筋の配置を行う。以下同様の作業を繰り返して、背丈分程度の高さ範囲での配筋を完了させる。その後、また新たに所定本数の配力鉄筋を上記空間に吊り込んで、背丈分程度の高さ範囲での配筋を繰り返す。
【０００７】
このように、配力鉄筋の配置作業は、外周側主鉄筋と内周側主鉄筋との間の狭い空間での面倒な作業となるため、その作業性が非常に悪いものとなっている、という問題がある。
【０００８】
本願発明は、このような事情に鑑みてなされたものであって、中空構造を有する鉄筋コンクリート製の柱状構造物を構築する工程において、配力鉄筋を配置する際の作業効率を高めることができる柱状構造物の構築方法を提供することを目的とするものである。
【課題を解決するための手段】
【０００９】
本願発明は、所定の吊込み治具を用いることにより、上記目的達成を図るようにしたものである。
【００１０】
すなわち、本願発明に係る柱状構造物の構築方法は、
中空構造を有する鉄筋コンクリート製の柱状構造物であって、周壁の外周面近傍および内周面近傍に複数の主鉄筋が配置されるとともに、これら外周面近傍に配置された複数の主鉄筋と内周面近傍に配置された複数の主鉄筋との間に上記周壁に沿って水平方向に延びる複数の配力鉄筋が上下方向に所定間隔をおいて配置されてなる柱状構造物を、所定高の施工区間毎に配筋およびコンクリート打設を行うことにより構築する、柱状構造物の構築方法において、
上記柱状構造物における施工済みコンクリートの上面に、上記複数の主鉄筋を配置する工程と、
所定本数の上記配力鉄筋を、施工完了時の配置と略同様の配置で、所定の吊込み治具に取り付ける工程と、
上記所定本数の配力鉄筋が取り付けられた吊込み治具を、上記外周面近傍に配置された複数の主鉄筋と上記内周面近傍に配置された複数の主鉄筋との間に吊り込む工程と、
この吊込みが完了した吊込み治具から上記各配力鉄筋を取り外して所定位置に配置する工程と、を含むことを特徴とするものである。
【００１１】
上記「柱状構造物」は、中空構造を有する鉄筋コンクリート製のものであれば、その具体的な形状は特に限定されるものではなく、例えばその水平断面形状としては、矩形、多角形、円形等が採用可能である。また、この「柱状構造物」の種類は特に限定されるものではなく、例えば、橋梁の橋脚や主塔あるいはタワー等が採用可能である。
【００１２】
上記「複数の配力鉄筋」は、外周面近傍に配置された複数の主鉄筋と内周面近傍に配置された複数の主鉄筋との間において周壁に沿って水平方向に延びるように配置されたものであれば、１列で配置されたものであってもよいし、複数列で配置されたものであってもよく、また、これら各列の、周壁の肉厚方向における具体的な位置は特に限定されるものではない。
【００１３】
上記「所定本数」の具体的な本数は特に限定されるものではなく、例えば、一施工区間分の本数あるいは一施工区間分の本数よりもやや少ない本数等に設定することが可能である。
【００１４】
上記「吊込み治具」は、複数の配力鉄筋を施工完了時の配置と略同様の配置で取付可能な構造を有するものであれば、その具体的な構成は特に限定されるものではない。ここで「施工完了時の配置と略同様の配置」とは、配力鉄筋相互間における上下方向の間隔が施工完了時の間隔と略同じ値に設定されていることを意味するものである。
【発明の効果】
【００１５】
上記構成に示すように、本願発明に係る柱状構造物の構築方法は、施工済みコンクリートの上面に複数の主鉄筋を配置する一方、所定本数の配力鉄筋を施工完了時の配置と略同様の配置で所定の吊込み治具に取り付けた後、この吊込み治具を外周側主鉄筋と内周側主鉄筋との間に吊り込み、この吊込み治具から各配力鉄筋を取り外して所定位置に配置するようになっているので、次のような作用効果を得ることができる。
【００１６】
すなわち、吊込み治具を外周側主鉄筋と内周側主鉄筋との間に吊り込んだ時点で、所定本数の配力鉄筋は各々その配置予定位置の近傍に一括して配置されることとなるので、この吊込み治具から各配力鉄筋を取り外して所定位置に配置する作業は、極めて簡単にこれを行うことができる。しかも、この配置作業は、複数箇所において同時に行うことも可能である。
【００１７】
また、これら所定本数の配力鉄筋を吊込み治具に取り付ける作業については、これを柱状構造物付近の地面等において行うことができるので、その取付作業を効率良く行うことができる。
【００１８】
このように本願発明によれば、中空構造を有する鉄筋コンクリート製の柱状構造物を構築する工程において、配力鉄筋を配置する際の作業効率を高めることができる。しかも、吊込み治具は次の施工区間での施工にも転用することができるので、経済性を十分に確保した上で上記作用効果を得ることができる。
【００１９】
上記構成において、吊込み治具に対する各配力鉄筋の取付けを、該吊込み治具を横向きに配置した状態で行うようにすれば、その取付けを組立用足場を用いることなく直接行うことができ、これにより取付作業を一層効率良く行うことができる。
【００２０】
上記「吊込み治具」の具体的な構成が特に限定されないことは上述したとおりであるが、この吊込み治具として、水平方向に所定間隔をおいて配置された複数の鉛直鋼材を上下１対の水平鋼材により連結固定してなる鉛直枠と、この鉛直枠と略直交する方向に延びるように配置された状態で各鉛直鋼材に対して上下方向に所定間隔をおいて固定された複数の鉄筋受け材と、を備えてなる治具を用いるようにすれば、次のような作用効果を得ることができる。
【００２１】
すなわち、上記所定本数の配力鉄筋の各々を、複数の鉛直鋼材において互いに同じ高さ位置に固定された鉄筋受け材に架け渡すことにより、これら各配力鉄筋を所定の高さ位置において水平方向に延びるように位置決めした状態で吊込み治具に取り付けることができる。したがって、各鉛直鋼材における各鉄筋受け材の固定位置を、配力鉄筋の施工完了時における高さ配置に対応した位置に設定しておけば、吊込み治具から各配力鉄筋を取り外して所定位置に配置する作業を容易に行うことができる。また、各配力鉄筋を所定位置に配置した後、この吊込み治具を構成する上下１対の水平鋼材のうち下側に位置する水平鋼材の各鉛直鋼材への連結を解除するようにすれば、各配力鉄筋を跨ぐようにして複数の幅止め鉄筋を配置した場合においても、吊込み治具の撤去を容易に行うことができる。
【００２２】
このような吊込み治具を用いるようにした場合において、その各鉄筋受け材として、各鉛直鋼材にナットにより締付固定された全ネジボルトを用いるようにすれば、各鉄筋受け材を吊込み治具に対して着脱可能な構成とすることができる。したがって、吊込み治具から各配力鉄筋を取り外して所定位置に配置した後、この吊込み治具から各鉄筋受け材を取り外すようにすれば、吊込み治具への各配力鉄筋の取付位置を、高さ方向のみならず周壁の肉厚方向に関しても施工完了時の位置と同じ位置に設定した場合においても、吊込み治具の撤去を、配置済みの配力鉄筋等との干渉を生じさせることなく容易に行うことができる。
【００２３】
また、このように各鉄筋受け材を吊込み治具に対して着脱可能な構成とすることにより、吊込み治具に対して所定本数の配力鉄筋と共に所定本数の帯鉄筋をも取り付けるようにした場合においても、これら配力鉄筋および帯鉄筋を吊込み治具から取り外して所定位置に配置した後、吊込み治具から各鉄筋受け材を取り外すようにすれば、吊込み治具の撤去を行うことが可能となる。そしてこのようにすることにより、配力鉄筋のみならず帯鉄筋の配置についてもその作業効率を高めることができる。なお、外周側主鉄筋を外周側から囲む帯鉄筋は、Ｌ字状等に折り曲げられた状態で取り扱われることが多いので、吊込み治具への取付けには適していないことが多いが、内周側主鉄筋を内周側から囲む帯鉄筋は、配力鉄筋と同様の単純な形状のまま取り扱われることが多いので、吊込み治具への取付けに適している。
【００２４】
さらに、上述したように各鉄筋受け材として各鉛直鋼材にナットにより締付固定された全ネジボルトを用いるようにした場合において、各鉛直鋼材の側端面に上下方向に所定間隔をおいて複数の凹溝部を形成しておき、これら各凹溝部に全ネジボルトを挿入した状態でナットによる締付固定を行うようにすれば、各鉄筋受け材の着脱を容易に行うことができる。
【００２５】
ところで、上記「吊込み治具」は、上述したような中空構造を有する鉄筋コンクリート製の柱状構造物を構築する際の配力鉄筋の吊込みに適しているが、これ以外にも、所定間隔をおいて２列で配置された略鉛直方向に延びる複数の鉄筋における上記各列の間に、水平方向に延びる複数の鉄筋を吊り込む場合一般において、これを使用することが可能である。
【発明を実施するための最良の形態】
【００２６】
以下、図面を用いて、本願発明の実施の形態について説明する。
【００２７】
図１は、本願発明の一実施形態に係る柱状構造物の構築方法の対象となる橋脚２０を備えた橋梁１０を示す図であって、同図（ａ）が側面図、同図（ｂ）がそのｂ方向矢視図である。
【００２８】
同図に示すように、この橋梁１０はエクストラドーズド橋であって、その橋脚２０は、大口径深礎２２の上面から橋桁２４まで延びる高さ１００ｍ程度の柱状構造物として構築されている。そして、この橋脚２０の上端部には、１対の主塔２６が橋桁２４を挟むようにして構築されており、これら各主塔２６と橋桁２４との間には複数の斜材２８が緊張配置されている。
【００２９】
橋脚２０は、断面矩形状の中空構造を有する鉄筋コンクリート製の構造物であって、橋軸と直交する鉛直面内においては１２ｍ程度の一定幅で形成されているが、橋軸を含む鉛直面内においては上方へ向けて１２ｍから５ｍまで徐々に幅が狭まるようにテーパ状に形成されている。
【００３０】
図２は、橋脚２０のコンクリート内部における配筋構造を示す、図１（ｂ）のII-II 線断面詳細図であり、図３は、図２のIII-III 線断面詳細図である。
【００３１】
これらの図に示すように、この橋脚２０は、１対の鉛直壁部２０Ａと１対の傾斜壁部２０Ｂとにより上記矩形状の箱形断面を構成している。これら各鉛直壁部２０Ａおよび各傾斜壁部２０Ｂの幅は、いずれも１．２ｍ程度の値に設定されている。そして、この橋脚２０におけるコンクリート３２の外周面３２ａおよび内周面３２ｂの近傍には、複数の主鉄筋３４、３６が周方向に所定間隔をおいて配置されている。その際、コンクリート３２のかぶり厚は１５０ｍｍ程度の値に設定されている。また、各傾斜壁部２０Ｂにおける外周面３２ａの近傍には、主鉄筋３４に対して１５０ｍｍ程度内側に位置するようにして、複数の主鉄筋３８が配置されている。
【００３２】
これら３種類の主鉄筋３４、３６、３８は、いずれも長さ６ｍ程度の異形鉄筋で構成されている。その際、主鉄筋３４、３８としては、大径の異形鉄筋（例えばＤ５１）が用いられており、一方、主鉄筋３６としては、やや大径の異形鉄筋（例えばＤ３８）が用いられている。また、主鉄筋３４は、１５０ｍｍ程度の比較的狭いピッチで配置されており、一方、主鉄筋３６、３８は、３００ｍｍ程度の比較的広いピッチで配置されている。これら主鉄筋３４、３６、３８は、各傾斜壁部２０Ｂにおいては、鉛直方向に対して傾斜壁部２０Ｂの傾斜角度分だけ傾斜した方向に延びるように配置されている。
【００３３】
そして、この橋脚２０においては、主鉄筋３４を囲むようにして複数の帯鉄筋４０が配置されており、また、主鉄筋３６の内周側には該主鉄筋３６に沿って複数の帯鉄筋４２が配置されており、これら帯鉄筋４０、４２を跨ぐようにして複数の幅止め鉄筋４４が配置されている。さらに、各鉛直壁部２０Ａには、上記複数の帯鉄筋４０の１５０ｍｍ程度内側に、該鉛直壁部２０Ａに沿って水平方向に延びる複数の配力鉄筋４６が配置されるとともに、上記複数の帯鉄筋４２の１５０ｍｍ程度内側（すなわち外周側）に、該鉛直壁部２０Ａに沿って水平方向に延びる複数の配力鉄筋４８が配置されている。一方、各傾斜壁部２０Ｂには、主鉄筋３８の外周側に該主鉄筋３８に沿って延びる複数の配力鉄筋５２が配置されている。
【００３４】
その際、各帯鉄筋４０、４２および各配力鉄筋４６、４８、５２は、上下方向に１５０ｍｍ程度のピッチで互いに同じ高さ位置に配置されている。
【００３５】
また、各帯鉄筋４２および各配力鉄筋４６、４８、５２は、長短２本の鉄筋が重ね継手により結束された状態で一直線状に延びており、その両端のフックにおいて主鉄筋３４および帯鉄筋４０に係止されている。
【００３６】
この橋脚２０は、所定高（具体的には６ｍ程度）の施工区間（図３において２点鎖線で示す部分）毎に配筋およびコンクリート打設を行うことにより構築されるようになっている。
【００３７】
図４、５および６は、鉛直壁部２０Ａにおける主鉄筋３４、３６、帯鉄筋４０、４２および配力鉄筋４６、４８の配筋工程を、図２のIII-III 線断面の位置において示す図である。
【００３８】
この配筋工程においては、まず、図４に示すように、施工済みコンクリート３２の上面に、複数の主鉄筋３４、３６を配置する。その際、これら主鉄筋３４、３６は、施工済みコンクリート３２の上面から上方へ突出している主鉄筋３４、３６に対して、カプラ５０を用いて連結する。
【００３９】
次に、鉛直壁部２０Ａの外周面近傍に配置された主鉄筋（外周側主鉄筋）３４に対して、その外周側から一施工区間分の本数の帯鉄筋４０を上下方向に１５０ｍｍ程度の間隔をおいて巻き付ける。
【００４０】
一方、一施工区間分の本数の帯鉄筋４２および配力鉄筋４６、４８を、施工完了時の配置（すなわち図３に示す配置）と略同様の配置で、吊込み治具１００（これについては後述する）に予め取り付けておく。
【００４１】
その際、各帯鉄筋４２については、吊込み時（これについても後述する）に該帯鉄筋４２が内周面近傍に配置された複数の主鉄筋（内周側主鉄筋）３６と干渉してしまうのを未然に防止するため、施工完了時の配置に対してやや内周寄りの位置において吊込み治具１００に取り付けておく。一方、各配力鉄筋４６、４８については、施工完了時の配置と全く同じ配置で吊込み治具１００に取り付けておく。
【００４２】
これら帯鉄筋４２および配力鉄筋４６、４８の取付けは、図５に示すように、橋脚２０付近の地面２に吊込み治具１００を横向きに配置した状態で行う。その際、吊込み治具１００が横向きで水平に配置されるよう、該吊込み治具１００の上端部と地面２との間に枕材１０４を配置するとともに、該吊込み治具１００の下端部に着脱式枕材１０６を取り付けて、この着脱式枕材１０６を地面２に当接させる。
【００４３】
次に、図４に示すように、一施工区間分の本数の帯鉄筋４２および配力鉄筋４６、４８が取り付けられた吊込み治具１００を、外周側主鉄筋３４と内周側主鉄筋３６との間に吊り込む。
【００４４】
この吊込みは、図５に示すように、横向きに配置された吊込み治具１００に対して、その上端部にワイヤ１０２を巻き付けて、この吊込み治具１００を地面２からクレーン等で吊り上げ、施工区間の上方位置から外周側主鉄筋３４と内周側主鉄筋３６との間における施工済みコンクリート３２の上面に当接する位置まで吊り下ろすことによって行う。なお、着脱式枕材１０６は、吊込み治具１００を吊り上げる際に、該吊込み治具１００から取り外すようにする。
【００４５】
そして、図６に示すように、この吊込みが完了し、施工済みコンクリート３２の上面に載置された吊込み治具１００から、各帯鉄筋４２および各配力鉄筋４６、４８を取り外して、所定位置（すなわち図３に示す位置）に配置する。
【００４６】
図７は、吊込み治具１００を吊り上げているときの様子を示す、図４のVII 方向矢視図である。
【００４７】
同図に示すように、各配力鉄筋４６は、施工完了時よりも全長を短くした状態で吊込み治具１００に取り付けておく。すなわち、各配力鉄筋４６を構成する２本の鉄筋を施工完了時よりも長い重ね代で結束しておく。そしてこれにより、各配力鉄筋４６を傾斜壁部２０Ｂの端部に位置する外周側主鉄筋３４および帯鉄筋４０と干渉させてしまうことなく、吊込みを行うことができるようにしておく。各配力鉄筋４８および各帯鉄筋４２についても、各配力鉄筋４６と同様、施工完了時よりも全長を短くした状態で吊込み治具１００に取り付けておく。
【００４８】
図６に示す鉛直断面内においては、吊込み治具１００の吊込みが完了した時点で、すでに、各配力鉄筋４６、４８は、施工完了時の配置と全く同じ位置に配置され、また、各帯鉄筋４２は、施工完了時の配置よりもやや内周寄りの位置ではあるが同じ高さ位置に配置される。
【００４９】
したがって、吊込み完了後、各配力鉄筋４６、４８については、これを構成する２本の鉄筋の重ね代を短くする方向に移動させて、その両端のフックを傾斜壁部２０Ｂの端部に位置する外周側主鉄筋３４および帯鉄筋４０に係止することにより配置が完了し、また、各帯鉄筋４２については、これを外周側へ移動させて内周側主鉄筋３６に当接させるとともに、これを構成する２本の鉄筋の重ね代を短くする方向に移動させて、その両端のフックを傾斜壁部２０Ｂの端部に位置する外周側主鉄筋３４および帯鉄筋４０に係止することにより配置が完了することとなる。
【００５０】
次に、上記配筋工程において用いられる吊込み治具１００の構成について説明する。
【００５１】
図８は、この吊込み治具１００を示す側面図であり、図９は、図８のIX-IX 線断面図である。また、図１０は、図８のＸ部詳細図であり、図１１は、図９のXI部詳細図である。
【００５２】
これらの図に示すように、この吊込み治具１００は、水平方向に所定間隔をおいて配置された４本の鉛直鋼材１１２を、上下１対の水平鋼材１１４Ａ、１１４Ｂにより、各鉛直鋼材１１２の上下両端部において連結固定してなる鉛直枠１１０と、この鉛直枠１１０と直交する方向に延びるように配置された状態で、各鉛直鋼材１１２に対して上下方向に所定間隔（具体的には１５０ｍｍ程度の間隔）をおいて固定された複数の鉄筋受け材１３０、１４０とを備えた構成となっており、その全高は６．５ｍ程度の値に設定されている。
【００５３】
鉛直枠１１０は、２重枠構造を有している。すなわち、この鉛直枠１１０は、各鉛直鋼材１１２および各水平鋼材１１４Ａ、１１４Ｂが、該鉛直枠１１０と直交する方向に所定間隔をおいて２組配置された構成となっている。そして、この鉛直枠１１０は、各組の各鉛直鋼材１１２が、該鉛直鋼材１１２の下端部および上下方向中央部において連結材１１６を介して連結固定されるとともに、各組の水平鋼材１１４Ａが、該水平鋼材１１４Ａの上面を跨ぐように配置された複数の連結材１１８を介して連結固定されている。
【００５４】
その際、上端部に位置する水平鋼材１１４Ａは、４本の鉛直鋼材１１２に跨って延びる単一のＨ形鋼で構成されており、各鉛直鋼材１１２の上端部にボルト１２０によって固定されている。一方、下端部に位置する水平鋼材１１４Ｂは、各鉛直鋼材１１２相互間のスパン毎に３つに分割されており、互いに直列で配置されている。これら各水平鋼材１１４Ｂは、溝形鋼で構成されており、その両端部において各鉛直鋼材１１２の下端部にボルト１２０によって固定されている。
【００５５】
また、各連結材１１６は、溝形鋼で構成されており、その両端部において各鉛直鋼材１１２にボルト１２０によって固定されている。一方、各連結材１１８は、Ｈ形鋼で構成されており、その両端部下面において各水平鋼材１１４Ａにボルト１２０によって固定されている。
【００５６】
各鉛直鋼材１１２は、Ｈ形鋼１１２Ａの両側面に鋼板１１２Ｂが溶接されてなる複合鋼材として構成されている。その際、これら各鋼板１１２Ｂは、Ｈ形鋼１１２Ａから側方へ張り出すように設けられており、その側端面には、上下方向に所定間隔（具体的には１５０ｍｍ程度の間隔）をおいて複数の凹溝部１１２ａが形成されている。これら各凹溝部１１２ａは、横向きＵ字状に形成されている。
【００５７】
２重枠構造を有する鉛直枠１１０のうち、外周側に位置する枠を構成する各鉛直鋼材１１２に取り付けられる各鉄筋受け材１３０は、全ネジボルト１３２と、この全ネジボルト１３２と螺合する２つのナット１３４とからなっている。そして、これら各鉄筋受け材１３０は、１対の鋼板１１２Ｂにおける同じ高さ位置に形成された１対の凹溝部１１２ａに全ネジボルト１３２を挿入した状態で、２つのナット１３４で１対の鋼板１１２Ｂを両側から締め付けることにより鉛直鋼材１１２に固定されるようになっている。
【００５８】
そして、この鉛直鋼材１１２に固定された各鉄筋受け材１３０は、その全ネジボルト１３２における鉛直鋼材１１２よりも外周側に位置する部分に配力鉄筋４６を載置した状態でこれを支持するようになっている。その際、配力鉄筋４６は、鋼板１１２Ｂを外周側から締め付けているナット１３４と全ネジボルト１３２との角部に押し当てられて位置決めされた状態で、図示しない鉄線等により鉄筋受け材１３０に固定されるようになっている。
【００５９】
一方、２重枠構造を有する鉛直枠１１０のうち、内周側に位置する枠を構成する各鉛直鋼材１１２に取り付けられる各鉄筋受け材１４０は、全ネジボルト１３２よりもある程度長い全ネジボルト１４２と、この全ネジボルト１４２と螺合する３つのナット１４４とからなっている。そして、これら各鉄筋受け材１４０は、１対の鋼板１１２Ｂにおける同じ高さ位置に形成された１対の凹溝部１１２ａに全ネジボルト１４２を挿入した状態で、２つのナット１４４で１対の鋼板１１２Ｂを両側から締め付けることにより鉛直鋼材１１２に固定されるようになっている。その際、全ネジボルト１４２は、鉛直鋼材１１２の内周側に大きく突出するようにして固定され、その先端部近傍には残り１つのナット１４４が配置されるようになっている。
【００６０】
そして、この鉛直鋼材１１２に固定された各鉄筋受け材１４０は、その全ネジボルト１４２における鉛直鋼材１１２よりも内周側に位置する部分に配力鉄筋４８を載置した状態でこれを支持するようになっている。その際、配力鉄筋４８は、鋼板１１２Ｂを内側から締め付けているナット１４４と全ネジボルト１４２との角部に押し当てられて位置決めされた状態で、図示しない鉄線等により鉄筋受け材１４０に固定されるようになっている。
【００６１】
全ネジボルト１４２の内周側の先端部近傍に配置されたナット１４４は、帯鉄筋４２を位置決め固定するためのものであって、帯鉄筋４２は、このナット１４４と全ネジボルト１４２との角部に押し当てられて位置決めされた状態で、図示しない鉄線等により鉄筋受け材１４０に固定されるようになっている。そして、このようにナット１４４を全ネジボルト１４２における内周側の先端部近傍に配置しておくことにより、鉄筋受け材１４０に位置決め固定された帯鉄筋４２を、施工完了時の位置よりもやや内周側に配置するようになっている。そしてこれにより、吊込み時に、帯鉄筋４２が内周側主鉄筋３６と干渉してしまうのを未然に防止するようになっている。
【００６２】
吊込み治具１００において、その２重枠構造を有する鉛直枠１１０の枠相互間の間隔は、鉄筋受け材１３０、１４０に位置決め固定された配力鉄筋４６、４８相互の間隔が施工完了時の間隔と等しくなるような値に設定されている。
【００６３】
以上詳述したように、本実施形態に係る柱状構造物の構築方法は、施工済みコンクリート３２の上面に複数の主鉄筋３４、３６を配置する一方、一施工区間分の本数の配力鉄筋４６、４８を施工完了時の配置と略同様の配置で吊込み治具１００に取り付けた後、この吊込み治具１００を外周側主鉄筋３４と内周側主鉄筋３６との間に吊り込み、この吊込み治具１００から各配力鉄筋４６、４８を取り外して所定位置に配置するようになっているので、次のような作用効果を得ることができる。
【００６４】
すなわち、吊込み治具１００を外周側主鉄筋３４と内周側主鉄筋３６との間に吊り込んだ時点で、一施工区間分の本数の配力鉄筋４６、４８は各々その配置予定位置の近傍に一括して配置されることとなるので、この吊込み治具１００から各配力鉄筋４６、４８を取り外して所定位置に配置する作業は、極めて簡単にこれを行うことができる。しかも、この配置作業は、複数箇所において同時に行うことも可能である。
【００６５】
また、一施工区間分の本数の配力鉄筋４６、４８を吊込み治具１００に取り付ける作業については、これを橋脚２０付近の地面２において行うことができるので、その取付作業を効率良く行うことができる。
【００６６】
このように本実施形態によれば、中空構造を有する鉄筋コンクリート製の橋脚２０を構築する工程において、配力鉄筋４６、４８を配置する際の作業効率を高めることができる。しかも、吊込み治具１００は次の施工区間での施工にも転用することができるので、経済性を十分に確保した上で上記作用効果を得ることができる。
【００６７】
また本実施形態においては、吊込み治具１００に対する各配力鉄筋４６、４８の取付けを、該吊込み治具１００を横向きに配置した状態で行うようになっているので、その取付けを組立用足場を用いることなく直接行うことができ、これにより取付作業を一層効率良く行うことができる。
【００６８】
さらに本実施形態においては、吊込み治具１００として、水平方向に所定間隔をおいて配置された複数の鉛直鋼材１１２を上下１対の水平鋼材１１４Ａ、１１４Ｂにより連結固定してなる鉛直枠１１０と、この鉛直枠１１０と直交する方向に延びるように配置された状態で各鉛直鋼材１１２に対して上下方向に所定間隔をおいて固定された複数の鉄筋受け材１３０、１４０とを備えてなる治具が用いられているので、次のような作用効果を得ることができる。
【００６９】
すなわち、一施工区間分の本数の配力鉄筋４６、４８の各々を、複数の鉛直鋼材１１２において互いに同じ高さ位置に固定された鉄筋受け材１３０、１４０に架け渡すことにより、これら各配力鉄筋４６、４８を所定の高さ位置において水平方向に延びるように位置決めした状態で吊込み治具１００に取り付けることができる。その際、各鉛直鋼材１１２における各鉄筋受け材１３０、１４０の固定位置は、配力鉄筋４６、４８の施工完了時における高さ配置に対応した位置に設定されているので、吊込み治具１００から各配力鉄筋４６、４８を取り外して所定位置に配置する作業を容易に行うことができる。
【００７０】
また、各配力鉄筋４６、４８を所定位置に配置した後、吊込み治具１００を構成する上下１対の水平鋼材１１４Ａ、１１４Ｂのうち下側に位置する水平鋼材１１４Ｂの各鉛直鋼材１１２への連結を解除することにより、各配力鉄筋４６、４８を跨ぐようにして複数の幅止め鉄筋４４が配置されるにもかかわらず、吊込み治具１００の撤去を容易に行うことができる。
【００７１】
しかも本実施形態においては、吊込み治具１００を構成する各鉄筋受け材１３０、１４０として、各鉛直鋼材１１２にナット１３４、１４４により締付固定された全ネジボルト１３２、１４２を用いているので、各鉄筋受け材１３０、１４０を吊込み治具１００に対して着脱可能な構成とすることができる。そしてこれにより、吊込み治具１００から各配力鉄筋４６、４８を取り外して所定位置に配置した後、吊込み治具１００から各鉄筋受け材１３０、１４０を取り外すようにすれば、本実施形態のように、吊込み治具１００への各配力鉄筋４６、４８の取付位置を、高さ方向のみならず鉛直壁部２０Ａの肉厚方向に関しても施工完了時の位置と同じ位置に設定した場合においても、吊込み治具１００の撤去を、配置済みの配力鉄筋４６、４８等との干渉を生じさせることなく容易に行うことができる。
【００７２】
また、このように各鉄筋受け材１３０、１４０を吊込み治具１００に対して着脱可能な構成としておくことにより、本実施形態のように、吊込み治具１００に対して一施工区間分の本数の配力鉄筋４６、４８と共に一施工区間分の本数の帯鉄筋４２をも取り付けるようにした場合においても、これら配力鉄筋４６、４８および帯鉄筋４２を吊込み治具１００から取り外して所定位置に配置した後、吊込み治具１００から各鉄筋受け材１３０、１４０を取り外すことにより、吊込み治具１００の撤去を行うことが可能となる。そしてこれにより、配力鉄筋４６、４８のみならず帯鉄筋４２の配置についてもその作業効率を高めることができる。
【００７３】
さらに本実施形態においては、各鉛直鋼材１１２の側端面に上下方向に所定間隔をおいて複数の凹溝部１１２ａを形成するとともに、これら各凹溝部１１２ａに全ネジボルト１３２、１４２を挿入した状態でナット１３４、１４４による締付固定を行うようになっているので、各鉄筋受け材１３０、１４０の着脱を容易に行うことができる。しかも本実施形態においては、各鉛直鋼材１１２が、Ｈ形鋼１１２Ａの両側面に鋼板１１２Ｂが溶接されてなる複合鋼材として構成されているので、各凹溝部１１２ａを容易かつ精度良く形成することができる。
【００７４】
次に、上記実施形態の変形例について説明する。
【００７５】
図１２および１３は、本変形例に係る柱状構造物の構築方法を示す、図４および６と同様の図である。
【００７６】
これらの図に示すように、本変形例においては、配力鉄筋４６、４８については吊込み治具２００で一括して吊り込むが、内周側の帯鉄筋４２の配置については、鉛直壁部２０Ａの内周側に配置された図示しない組立用足場等から行うようになっている。
【００７７】
本変形例において使用される吊込み治具２００は、単一枠からなる鉛直枠２１０に複数の鉄筋受け材２３０が固定されてなっている。
【００７８】
すなわち、この吊込み治具２００は、水平方向に所定間隔をおいて配置された４本の鉛直鋼材２１２を、上下１対の水平鋼材２１４Ａ、２１４Ｂにより、各鉛直鋼材２１２の上下両端部において連結固定してなる鉛直枠２１０と、この鉛直枠２１０と直交する方向に延びるように配置された状態で、各鉛直鋼材２１２に対して上下方向に所定間隔（具体的には１５０ｍｍ程度の間隔）をおいて固定された複数の鉄筋受け材２３０とを備えた構成となっており、その全高は６．５ｍ程度の値に設定されている。
【００７９】
各鉄筋受け材２３０は、全ネジボルト２３２と、この全ネジボルト２３２と螺合する２つのナット２３４とからなっている。その際、全ネジボルト２３２の全長は、施工完了時における配力鉄筋４６、４８相互間の水平距離よりもある程度短い値に設定されている。これら各鉄筋受け材２３０は、鉛直鋼材２１２に全ネジボルト２３２を挿通した状態で、鉛直鋼材２１２を２つのナット２３４で両側から締め付けることにより、鉛直鋼材２１２に固定されるようになっている。
【００８０】
そして、この鉛直鋼材２１２に固定された各鉄筋受け材２３０は、その全ネジボルト２３２における鉛直鋼材２１２よりも外周側に位置する部分に配力鉄筋４６を載置するとともに内周側に位置する部分に配力鉄筋４８を載置した状態で、これらを支持するようになっている。その際、これら配力鉄筋４６、４８は、各ナット２３４と全ネジボルト２３２との角部に押し当てられて位置決めされた状態で、図示しない鉄線等により鉄筋受け材２３０に固定されるようになっている。
【００８１】
次に、本変形例に係る柱状構造物の構築方法において、配力鉄筋４６、４８を配置する工程について説明する。
【００８２】
本変形例においても、一施工区間分の本数の配力鉄筋４６、４８が取り付けられた吊込み治具２００を、帯鉄筋４０が配置された外周側主鉄筋３４と帯鉄筋４２が配置された内周側主鉄筋３６との間に吊り込む。
【００８３】
この吊込みは、図１２に示すように、吊込み治具２００の上端部にワイヤ２０２を巻き付けて、この吊込み治具２００をクレーン等で吊り上げ、施工区間の上方位置から外周側主鉄筋３４と内周側主鉄筋３６との間における施工済みコンクリート３２の上面に当接する位置まで吊り下ろすことによって行う。
【００８４】
そして、図１３に示すように、この吊込みが完了し、施工済みコンクリート３２の上面に載置された吊込み治具２００から、各配力鉄筋４６、４８を取り外して、所定位置（すなわち図３に示す位置）に配置する。その際、外周側の各配力鉄筋４６については、これを外周側へ所定量移動させるとともに、これを構成する２本の鉄筋の重ね代を短くする方向に移動させて、その両端のフックを傾斜壁部２０Ｂの端部に位置する外周側主鉄筋３４および帯鉄筋４０に係止することにより配置が完了し、一方、内周側の各配力鉄筋４６については、これを内周側へ所定量移動させるとともに、これを構成する２本の鉄筋の重ね代を短くする方向に移動させて、その両端のフックを傾斜壁部２０Ｂの端部に位置する外周側主鉄筋３４および帯鉄筋４０に係止することにより配置が完了する。
【００８５】
このように一施工区間分の本数の配力鉄筋４６、４８を各々所定位置に配置した後、吊込み治具２００を構成する上下１対の水平鋼材２１４Ａ、２１４Ｂのうち下側に位置する水平鋼材２１４Ｂの各鉛直鋼材２１２への連結を解除した後、吊込み治具２００を吊り上げてこれを撤去する。その際、各全ネジボルト２３２は、その全長が施工完了時における配力鉄筋４６、４８相互間の水平距離よりもある程度短い値に設定されているので、これら全ネジボルト２３２を鉛直鋼材２１２に固定したままの状態でも、吊込み治具２００の撤去を容易に行うことができる。
【００８６】
このように本変形例に係る吊込み治具２００を用いて配力鉄筋４６、４８を配置することにより、吊込み治具２００の構成を簡素化することができるとともに、配力鉄筋４６、４８の配置を効率良く行うことができる。
【００８７】
なお、上記実施形態においては、一施工区間分の本数の帯鉄筋４０の配置が完了した後に、吊込み治具１００の吊込みを行うものとして説明したが、これら帯鉄筋４０を配置する作業と並行して吊込み治具１００の吊込みを行うことも可能である。また、上記変形例においては、一施工区間分の本数の帯鉄筋４０、４２の配置が完了した後に、吊込み治具２００の吊込みを行うものとして説明したが、これら帯鉄筋４０、４２を配置する作業と並行して吊込み治具２００の吊込みを行うようにすることも可能である。
【００８８】
ところで、上記実施形態および変形例において使用した吊込み治具１００、２００は、上記実施形態および変形例のように中空構造を有する鉄筋コンクリート製の橋脚２０を構築する際の配力鉄筋４６、４８等の吊込みに適しているが、これ以外にも、所定間隔をおいて２列で配置された略鉛直方向に延びる複数の鉄筋における上記各列の間に、水平方向に延びる複数の鉄筋を吊り込む場合一般において、これら吊込み治具１００、２００を使用することが可能である。
【図面の簡単な説明】
【００８９】
【図１】本願発明の一実施形態に係る柱状構造物の構築方法の対象となる橋脚を備えた橋梁を示す図であって、同図（ａ）は側面図、同図（ｂ）はそのｂ方向矢視図
【図２】上記橋脚のコンクリート内部における配筋構造を示す、図１（ｂ）のII-II 線断面詳細図
【図３】図２のIII-III 線断面詳細図
【図４】上記橋脚の鉛直壁部における主鉄筋、帯鉄筋および配力鉄筋の配筋工程を、図２のIII-III 線断面の位置において示す図（その１）
【図５】上記配筋工程を示す、図４と同様の工程図（その２）
【図６】上記配筋工程を示す、図４と同様の工程図（その３）
【図７】図４のVII 方向矢視図
【図８】上記配筋工程において用いられる吊込み治具を示す側面図
【図９】図８のIX-IX 線断面図
【図１０】図８のＸ部詳細図
【図１１】図９のXI部詳細図
【図１２】上記実施形態の変形例を示す、図４と同様の図
【図１３】上記変形例を示す、図６と同様の図
【符号の説明】
【００９０】
２  地面
１０  橋梁
２０  橋脚
２０Ａ  鉛直壁部
２０Ｂ  傾斜壁部
２２  大口径深礎
２４  橋桁
２６  主塔
２８  斜材
３２  コンクリート
３２ａ  外周面
３２ｂ  内周面
３４、３６、３８  主鉄筋
４０、４２  帯鉄筋
４４  幅止め鉄筋
４６、４８、５２  配力鉄筋
５０  カプラ
１００、２００  吊込み治具
１０２、２０２  ワイヤ
１０４  枕材
１０６  着脱式枕材
１１０、２１０  鉛直枠
１１２、２１２  鉛直鋼材
１１２Ａ  Ｈ形鋼
１１２Ｂ  鋼板
１１２ａ  凹溝部
１１４Ａ、１１４Ｂ、２１４Ａ、２１４Ｂ  水平鋼材
１１６、１１８  連結材
１２０  ボルト
１３０、１４０、２３０  鉄筋受け材
１３２、１４２、２３２  全ネジボルト
１３４、１４４、２３４  ナット
【図１】
2006057316.tif 000003
【図２】
2006057316.tif 000004
【図３】
2006057316.tif 000005
【図４】
2006057316.tif 000006
【図５】
2006057316.tif 000007
【図６】
2006057316.tif 000008
【図７】
2006057316.tif 000009
【図８】
2006057316.tif 000010
【図９】
2006057316.tif 000011
【図１０】
2006057316.tif 000012
【図１１】
2006057316.tif 000013
【図１２】
2006057316.tif 000014
【図１３】
2006057316.tif 000015